(57)【要約】【課題】肩ひもをかばん本体の中に簡単に取り込むことができる、かばんを提供する。【解決手段】かばん１０は、箱型のかばん本体１２を含む。かばん本体１２の中の底部には、肩ひも５０の肩ひも本体５２ａおよび５２ｂに接続された長尺状部材３４ａおよび３４ｂを巻き取るための巻取り具２２ａおよび２２ｂが設けられる。かばん本体１２の上部には、肩ひも５０の肩ひも本体５２ａおよび５２ｂを挟んで固定するためのクリップ４２ａおよび４２ｂが設けられる。肩ひも５０の肩ひも本体５２ａおよび５２ｂは、接続具５４で着脱自在に接続される。【選択図】　　　図２
2004008383.tif 000002
【特許請求の範囲】
【請求項１】
かばん本体、および前記かばん本体を吊るすための肩ひもを有するかばんであって、
前記かばん本体の中に設けられ、前記肩ひもを前記かばん本体の中に引き込むための引込み手段、および
前記肩ひもが前記引込み手段で前記かばん本体の中に引き込まれることを停止するための停止手段を含む、かばん。
【請求項２】
前記引込み手段は、
端部が前記肩ひもの端部に接続される長尺状部材、
前記かばん本体の中の底部に設けられ、前記長尺状部材を巻き取るための巻取り手段、および
前記かばん本体の上部から前記巻取り手段にわたって設けられ、前記長尺状部材および前記肩ひもが通され、前記長尺状部材および前記肩ひもを案内するための管状の案内部材を含む、請求項１に記載のかばん。
【請求項３】
前記かばん本体の中であって前記巻取り手段の上に設けられる底板を含む、請求項２に記載のかばん。
【請求項４】
前記停止手段は、前記かばん本体に設けられ、前記肩ひもを挟んで固定するための固定手段を含む、請求項１ないし請求項３のいずれかに記載のかばん。
【請求項５】
前記肩ひもは、
長尺状の２本の肩ひも本体、および
前記２本の肩ひも本体の端部を着脱自在に接続するための接続手段を含み、
前記引込み手段および前記停止手段は、前記２本の肩ひも本体に対してそれぞれ設けられる、請求項１ないし請求項４のいずれかに記載のかばん。
【発明の詳細な説明】
【０００１】
【発明の属する技術分野】
この発明はかばんに関し、特に肩ひもを有するかばんに関する。
【０００２】
【従来の技術】
従来、肩ひもを有するかばんには、肩ひもをかばん本体から外せないかばんと、肩ひもをかばん本体から外せるかばんとがあった。このように肩ひもを有するかばんは、肩ひもでかばん本体をたとえば肩から吊るすことができるので、使用する際に大変便利である。
【０００３】
【発明が解決しようとする課題】
しかしながら、肩ひもをかばん本体から外せないかばんでは、肩ひもを使用しない場合、肩ひもが邪魔になってしまう場合がある。
一方、肩ひもをかばん本体から外せるかばんでは、肩ひもを使用しない場合、肩ひもをかばん本体から外してかばん本体の中に収納することができるので、肩ひもが邪魔にならない。ところが、肩ひもをかばん本体から外す作業やかばん本体をあけて外した肩ひもをかばん本体の中に収納する作業が大変面倒である。
【０００４】
それゆえに、この発明の主たる目的は、肩ひもをかばん本体の中に簡単に取り込むことができる、かばんを提供することである。
【０００５】
【課題を解決するための手段】
この発明にかかるかばんは、かばん本体と、かばん本体を吊るすための肩ひもとを有するかばんであって、かばん本体の中に設けられ、肩ひもをかばん本体の中に引き込むための引込み手段と、肩ひもが引込み手段でかばん本体の中に引き込まれることを停止するための停止手段とを含む、かばんである。
この発明にかかるかばんでは、引込み手段は、たとえば、端部が肩ひもの端部に接続される長尺状部材と、かばん本体の中の底部に設けられ、長尺状部材を巻き取るための巻取り手段と、かばん本体の上部から巻取り手段にわたって設けられ、長尺状部材および肩ひもが通され、長尺状部材および肩ひもを案内するための管状の案内部材とを含む。
また、この発明にかかるかばんは、かばん本体の中であって巻取り手段の上に設けられる底板を含んでもよい。
さらに、この発明にかかるかばんでは、停止手段は、たとえば、かばん本体に設けられ、肩ひもを挟んで固定するための固定手段を含む。
また、この発明にかかるかばんでは、肩ひもは、長尺状の２本の肩ひも本体と、２本の肩ひも本体の端部を着脱自在に接続するための接続手段とを含み、引込み手段および停止手段は、２本の肩ひも本体に対してそれぞれ設けられてもよい。
【０００６】
この発明にかかるかばんでは、引込み手段によって肩ひもをかばん本体の中に引き込むことができる。さらに、この発明にかかるかばんでは、肩ひもが引込み手段でかばん本体の中に引き込まれることを停止手段によって停止することができる。
そのため、この発明にかかるかばんでは、肩ひもをかばん本体の中に簡単に取り込むことができる。さらに、この発明にかかるかばんでは、肩ひもの有効な長さを簡単に変えることができる。
また、この発明にかかるかばんのように、引込み手段が長尺状部材、巻取り手段および案内部材を含むと、肩ひもがかばん本体の中において案内部材で案内されるので、肩ひもがかばん本体の中において邪魔になりにくくなり、しかも、肩ひもがかばん本体の中の収納物で損傷されにくくなる。
さらに、この発明にかかるかばんのように、かばん本体の中であって巻取り手段の上に底板が設けられると、かばん本体の中において、収納部と巻取り手段とが底板で仕切られ、巻取り手段が邪魔になりにくくなる。
また、この発明にかかるかばんのように、停止手段が肩ひもを挟んで固定するための固定手段を含むと、肩ひもが引込み手段でかばん本体の中に引き込まれることを簡単に停止することができる。
また、この発明にかかるかばんのように、肩ひもが２本の肩ひも本体および接続手段を含み、引込み手段および停止手段が２本の肩ひも本体に対してそれぞれ設けられると、肩ひもの大部分をかばん本体の中に取り込むことができるので、肩ひもがさらに邪魔になりにくくなる。
【０００７】
この発明の上述の目的、その他の目的、特徴および利点は、図面を参照して行う以下の発明の実施の形態の詳細な説明から一層明らかとなろう。
【０００８】
【発明の実施の形態】
図１はこの発明にかかるかばんの一例を示す斜視図であり、図２はそのかばんの内部構造を示す図解図である。図１に示すかばん１０は、たとえば革からなる箱型のかばん本体１２を含む。
【０００９】
かばん本体１２の上部において、一方の側部および他方の側部には、たとえば長円形状の貫通孔１４ａおよび１４ｂがそれぞれ形成される。これらの貫通孔１４ａおよび１４ｂは、後述の肩ひも５０を通すための孔である。
また、かばん本体１２には、その上端部からのびてたとえば革からなるふた１６が形成される。ふた１６の上面部には、たとえば革からなる取っ手１８が取り付けられる。さらに、ふた１６の先端部およびかばん本体１２の正面部には、たとえば金属からなる留め具２０が設けられる。
【００１０】
かばん本体１２の中の底部には、その両側に、巻取り手段として巻取り具２２ａおよび２２ｂがそれぞれ設けられる。この場合、巻取り具２２ａは貫通孔１４ｂの下側に設けられ、巻取り具２２ｂは貫通孔１４ａの下側に設けられる。これらの巻取り具２２ａおよび２２ｂは、後述の長尺状部材３４ａおよび３４ｂを巻き取るためのものである。
【００１１】
一方の巻取り具２２ａは、図３に示すように、断面略円形状のケース２４を含む。ケース２４の中央には、軸２６が形成される。また、ケース２４には、軸２６の周囲に、円環状の支持部２８が形成される。ケース２４の中には、略円筒状の回転ドラム３０が支持部２８に対して回転可能に設けられる。回転ドラム３０の中には、渦巻き状の巻取りばね３２が収納される。巻取りばね３２の内側の端部は、軸２６に固着される。また、巻取りばね３２の外側の端部およびその近傍部分は回転ドラム３０の外側に配置され、その端部の近傍部分が回転ドラム３０に引っ掛けられる。
【００１２】
巻取り具２２ａの巻取りばね３２の外側の端部には、弾性を有する金属からなるテープ状の長尺状部材３４ａの一端部が接続される。この場合、図４に示すように、巻取りばね３２の外側の端部は幅が広く形成され、その端部に隣接する部分は幅が狭く形成される。また、長尺状部材３４ａの一端部には、孔３６が形成される。そして、巻取り具２２ａの巻取りばね３２の外側の端部は、長尺状部材３４ａの孔３６に挿入されることによって長尺状部材３４ａに引っ掛けられる。長尺状部材３４ａは、図３に示すように、巻取り具２２ａの回転ドラム３０の周囲に巻かれる。したがって、図５に示すように、長尺状部材３４ａを巻取りばね３２の弾性力に抗して巻取り具２２ａから引き出せば、長尺状部材３４ａは、巻取りばね３２の弾性力によって、回転ドラム３０で巻かれるように巻取り具２２ａ側に引っ張られる。
【００１３】
なお、上述の巻取り具２２ａおよび長尺状部材３４ａは、目盛の付いたテープを渦巻き状の巻取りばねで巻き取る巻尺と同様の構造を有する。
【００１４】
また、他方の巻取り具２２ｂおよび長尺状部材３４ｂは、上述の巻取り具２２ａおよび長尺状部材３４ａとそれぞれ同じ構造を有する。ただし、巻取り具２２ｂは、巻取り具２２ａと対抗するように、巻取り具２２ａと逆向きに設けられる。また、巻取り具２２ｂの巻取りばね３２の外側の端部には、上述の巻取り具２２ａおよび長尺状部材３４ａと同様に、長尺状部材３４ｂの一端部が接続される。さらに、長尺状部材３４ｂは、巻取り具２２ｂの回転ドラム３０の周囲に巻かれる。
【００１５】
さらに、かばん本体１２の中には、図２に示すように、たとえば断面長円筒形の管状の２つの案内部材３８ａおよび３８ｂが設けられる。この場合、一方の案内部材３８ａは、一端部が一方の貫通孔１４ａに通じ他端部が一方の巻取り具２２ａのケース２４の内部に通じるように、かばん本体１２の中において一方の側部および底部に沿って設けられる。また、他方の案内部材３８ｂは、一端部が他方の貫通孔１４ｂに通じ他端部が他方の巻取り具２２ｂのケース２４の内部に通じるように、かばん本体１２の中において他方の側部および案内部材３８ａにほぼ沿って設けられる。これらの案内部材３８ａおよび３８ｂは、長尺状部材３４ａおよび３４ｂや後述の肩ひも５０を案内するためのものである。
【００１６】
また、かばん本体１２の中であって、巻取り具２２ａおよび２２ｂの上には、たとえば革からなる底板４０が設けられる。そのため、かばん本体１２の収納部は、底板４０によって、巻取り具２２ａおよび２２ｂと仕切られる。
【００１７】
また、かばん本体１２には、貫通孔１４ａおよび１４ｂの上方の部分に、固定手段として同じ構造のクリップ４２ａおよび４２ｂがそれぞれ固着される。クリップ４２ａは、図６および図７に示すように、固定片４４を含む。固定片４４は、かばん本体１２に固着されるものである。固定片４４には、可動片４６が揺動可能に取り付けられる。可動片４６は、一端部がコイルばね４８で固定片４４の反対側に押され、それによって、他端部が固定片４４側に押さえ付けられている。これらのクリップ４２ａおよび４２ｂは、後述の肩ひも５０を挟んで固定するためのものである。
【００１８】
肩ひも５０は、かばん本体１２をたとえば肩から吊るすためのものであって、たとえば革からなるテープ状の２本の肩ひも本体５２ａおよび５２ｂを含む。これらの肩ひも本体５２ａおよび５２ｂの一端部は、接続手段としての接続具５４で着脱自在に接続される。接続具５４は、図８および図９に示すように、着脱自在に接続される雄部材５６ａおよび雌部材５６ｂを含む。雄部材５６ａは一方の肩ひも本体５２ａの一端部に固着され、雌部材５６ｂは他方の肩ひも本体５２ｂの一端部に固着される。したがって、２本の肩ひも本体５２ａおよび５２ｂの一端部は、接続具５４で着脱自在に接続することができる。
【００１９】
肩ひも５０の一方の肩ひも本体５２ａの他端部は、図２および図１０に示すように、一方のクリップ４２ａの固定片４４および可動片４６の間、一方の貫通孔１４ａおよび一方の案内部材３８ａの中に通される。そして、肩ひも本体５２ａの他端部は、図４および図１０に示すように、一方の長尺状部材３４ａの他端部にリベット５８で接続される。
同様に、肩ひも５０の他方の肩ひも本体５２ｂの他端部は、他方のクリップ４２ｂの固定片４４および可動片４６の間、他方の貫通孔１４ｂおよび他方の案内部材３８ｂの中に通され、他方の長尺状部材３４ｂの他端部にリベットで接続される。
【００２０】
このかばん１０では、巻取り具２２ａおよび２２ｂによって肩ひも５０の肩ひも本体５２ａおよび５２ｂをかばん本体１２の中に引き込んで巻き取ることができるので、肩ひも５０をかばん本体１２の中に簡単に取り込むことができる。そのため、このかばん１０では、肩ひも５０が邪魔になりにくい。
【００２１】
また、このかばん１０では、肩ひも５０の２本の肩ひも本体５２ａおよび５２ｂの接続具５４による接続を外せば、図１１および図１２に示すように、肩ひも５０の大部分をかばん本体１２の中に取り込むことができるので、肩ひも５０がさらに邪魔になりにくくなる。
【００２２】
さらに、このかばん１０では、肩ひも５０が巻取り具２２ａおよび２２ｂでかばん本体１２の中に引き込まれることをクリップ４２ａおよび４２ｂによって簡単に停止することができる。そのため、このかばん１０では、肩ひも５０の有効な長さを簡単に変えることができる。
【００２３】
また、このかばん１０では、肩ひも５０がかばん本体１２の中において案内部材３８ａおよび３８ｂで案内されるので、肩ひも５０がかばん本体１２の中において邪魔になりにくく、しかも、肩ひも５０がかばん本体１２の中の収納物で損傷されにくい。
【００２４】
さらに、このかばん１０では、かばん本体１２の中において、収納部と巻取り具２２ａおよび２２ｂとが底板４０で仕切られるので、巻取り具２２ａおよび２２ｂが邪魔になりにくい。
【００２５】
なお、上述のかばん１０では、肩ひも５０をかばん本体１２の中に引き込むための引込み手段として、巻取り具２２ａおよび２２ｂと、長尺状部材３４ａおよび３４ｂと、案内部材３８ａおよび３８ｂとがかばん本体１２の中に設けられているが、この発明では、引込み手段として他の手段が用いられてもよい。
【００２６】
また、上述のかばん１０では、肩ひも５０がかばん本体１２の中に引き込まれることを停止するための停止手段として、肩ひも５０を挟んで固定するための固定手段としてのクリップ４２ａおよび４２ｂがかばん本体１２に設けられているが、この発明では、停止手段として他の手段が用いられてもよい。
【００２７】
さらに、上述のかばん１０では、肩ひも５０がテープ状の２本の肩ひも本体５２ａおよび５２ｂを含むが、この発明では、肩ひもは長尺状の１本の肩ひも本体からなるものであってもよい。この場合、肩ひもを引き込む引込み手段や肩ひもを停止する停止手段は、肩ひもの片側のみに設けられてもよい。
【００２８】
また、上述のかばん１０は、ふた１６、取っ手１８および留め具２０を有するが、この発明は、かばん本体とそれを吊るすための肩ひもとを有する他の構造のかばんにも適用され得る。
【００２９】
【発明の効果】
この発明によれば、肩ひもをかばん本体の中に簡単に取り込むことができる、かばんが得られる。
【図面の簡単な説明】
【図１】この発明にかかるかばんの一例を示す斜視図である。
【図２】図１に示すかばんの内部構造を示す図解図である。
【図３】図１に示すかばんに用いられる巻取り具などを示す図解図である。
【図４】図１に示すかばんに用いられる巻取りばね、長尺状部材および肩ひも本体の接続部分を示す図解図である。
【図５】図３に示す状態から長尺状部材を引き出した状態を示す図解図である。
【図６】図１に示すかばんに用いられるクリップを示す斜視図である。
【図７】図６に示すクリップの平面図である。
【図８】図１に示すかばんに用いられる接続具などを示す図解図である。
【図９】図８に示す接続具を接続した状態を示す図解図である。
【図１０】図１に示すかばんに用いられるクリップおよび肩ひも本体などを示す図解図である。
【図１１】図１に示すかばんにおいて肩ひもをかばん本体の中に引き込んだ状態を示す斜視図である。
【図１２】図１１に示す状態におけるクリップおよび肩ひも本体などを示す図解図である。
【符号の説明】
１０　かばん
１２　かばん本体
１４ａ、１４ｂ　貫通孔
１６　ふた
１８　取っ手
２０　留め具
２２ａ、２２ｂ　巻取り具
２４　ケース
２６　軸
２８　支持部
３０　回転ドラム
３２　巻取りばね
３４ａ、３４ｂ　長尺状部材
３６　孔
３８ａ、３８ｂ　案内部材
４０　底板
４２ａ、４２ｂ　クリップ
４４　固定片
４６　可動片
４８　コイルばね
５０　肩ひも
５２ａ、５２ｂ　肩ひも本体
５４　接続具
５６ａ　雄部材
５６ｂ　雌部材
５８　リベット
【図１】
2004008383.tif 000003
【図２】
2004008383.tif 000004
【図３】
2004008383.tif 000005
【図４】
2004008383.tif 000006
【図５】
2004008383.tif 000007
【図６】
2004008383.tif 000008
【図７】
2004008383.tif 000009
【図８】
2004008383.tif 000010
【図９】
2004008383.tif 000011
【図１０】
2004008383.tif 000012
【図１１】
2004008383.tif 000013
【図１２】
2004008383.tif 000014